(57)【要約】
　【課題】　休憩時に椅子としての機能を果たす折り畳み椅子がフレームと一体に構成されたリュックサックを提供する。
　【解決手段】　内部に物品を収納し、上下に分離可能な第１収納部11及び第２収納部12を有するリュックサック10と、このリュックサック10の背面の左右両側に沿って延び、下面に沿って曲げられた第１フレーム20と、リュックサック10の前面の左右両側に沿って延び、上下面に沿って曲げられた部分の間に椅子受け部31を有する第２フレーム30と、前記第１フレーム20及び第２フレーム30の曲がった下部同士を連結させる第３フレーム40とを備え、第２フレーム30を、上部が後ろに反り返るようにして第１フレーム20の背面側に位置決めし、相互に連結するように組み替えて折り畳み椅子を構成する。
【選択図】　　　図１
0003099144.tif 000002
【実用新案登録請求の範囲】
【請求項１】
内部に物品を収納し、上下に分離可能な第１収納部及び第２収納部を有するリュックサックと、
　該リュックサックの背面の左右両側に沿って延び、下面に沿って曲げられた第１フレームと、
　前記リュックサックの前面の左右両側に沿って延び、上下面に沿って曲げられた部分の間に椅子受け部を有する第２フレームと、
　前記第１フレーム及び第２フレームの曲がった下部同士を連結させる第３フレームとを備え、
　前記第２フレームを、上部が後ろに反り返るようにして第１フレームの背面側に位置決めし、第１フレームの曲がった下部に形成された結合孔に第２フレームの曲がった下部に設けられた結合ピンを締結して折り畳み椅子を構成するようになしてあることを特徴とする折り畳み椅子が付設されたリュックサック。
【請求項２】
　前記第２収納部は、上部を開閉自在に覆う蓋板を備え、該蓋板及び前記第２収納部の内部は、熱接着された高周波防水型材料により被覆されており、防水及び保温機能を果たすように構成されている請求項１記載の折り畳み椅子が付設されたリュックサック。
【請求項３】
　前記第２収納部は、該第２収納部の上縁及び前記蓋板の下縁に周設された第１のファスナにより開閉され、前記蓋板の上縁及び前記第１収納部の下縁に周設された第２のファスナにより第１収納部に結合され、一体型のリュックサックを構成する請求項２記載の折り畳み椅子が付設されたリュックサック。
【請求項４】
　前記第１フレームの背面に着脱自在に取り付けられたクッション用の背当て板を備える請求項１乃至請求項３のいずれかに記載の折り畳み椅子が付設されたリュックサック。
【請求項５】
　前記第２フレームの曲がった下部に設置された結合ピンは、弾性を有し、第２フレームをフレームを貫通し突出された形態をなす請求項１乃至請求項４のいずれかに記載の折り畳み椅子が付設されたリュックサック。
【考案の詳細な説明】
【技術分野】
【０００１】
本考案は、折り畳み椅子が付設されたリュックサックに関する。特に、リュックサックの背当てに折り畳み可能な椅子を一体化させることにより、移動時には、荷物の重さを等分に分散、伝達し、軽く感じさせる背当てフレームとしての役割を果たし、また休憩時には、椅子として機能することができるようにした折り畳み椅子が付設されたリュックサックの構造に関するものである。
【背景技術】
【０００２】
リュックサックは、本来、山登り、釣り等を目的とする旅行をする場合に、バーナー、コペル、寝食道具等の旅行装備の一切を収納して、携帯すべく用いられる。近年においては、バーナー、コペル等の炊事用品を携帯する代わりに、前もって準備した飲食物を携帯する場合が多く、このような場合を含めて、旅行者が旅行目的に応じて簡便に使用可能なように多様な形態で改善されたリュックサックが多数市販されている。
【０００３】
特に、収納形態と長時間旅行による負担感解消とを目的として、大量の荷物を収納しながら安定した姿勢を保ち得るように背当て部分を改善し、この部分に背当てフレームが装着されたリュックサックが広く実用化されている（例えば、特許文献１参照）。
【特許文献１】特開平１０−１１７８４５号公報
【考案の開示】
【考案が解決しようとする課題】
【０００４】
さて、以上のようなリュックサックを使用する釣り旅行においては、魚を釣る間、長時間に亘って座り姿勢を維持することが要求されるために、折り畳み椅子を必需品として携帯することがある。しかしながら折り畳み椅子は、リュックサックに収納できない場合が多く、この場合、リュックサック又はフレームの一部に縛り付けて携帯されるか、別途に持って携帯されることとなり、煩わしさを伴うという問題があり、更に、リュックサック又はフレームに縛り付けた椅子の角端部が、不注意で周辺の物品又は人に当たり、危害を及ぼす虞れがあった。
【０００５】
また、以上のようなリュックサックを使用して山登りをする登山者は、区間毎の休息に際し、背負ったリュックサックを地面に置きその上に座ったり、又は地面に直接に座って疲れを取ろうとするが、地面が平らでない場合、土ぼこり又は湿気などが多い場合等、登山者が座って休息を取ることができない場合があり、このような場合、少しの間立ったまま休み、そのまま出発することを強いられ、疲れがたまるという問題があった。
【０００６】
本考案は斯かる事情に鑑みてなされたものであり、リュックサックの背当てフレームを利用して折り畳み椅子を一体に構成することによって、移動時には、荷物の重さを等分に分散、伝達し、軽く感じさせる背当てフレームとしての機能を果たし、休息時には、地面に降ろし、簡易な組み替えにより椅子としての機能を果たすことができるようになしてある折り畳み椅子が付設されたリュックサックを提供することを目的とする。
【０００７】
　また本考案の他の目的は、背当てフレームだけを別に分離して折り畳み椅子として使うことができ、更にリュックサックを上下に分離し、使用者の用途に合わせて有用に使用できるようにする折り畳み椅子が付設されたリュックサックを提供するところにある。
【課題を解決するための手段】
【０００８】
第１の考案に係る折り畳み椅子が付設されたリュックサックは、内部に物品を収納し、上下に分離可能な第１収納部及び第２収納部を有するリュックサックと、該リュックサックの背面の左右両側に沿って延び、下面に沿って曲げられた第１フレームと、前記リュックサックの前面の左右両側に沿って延び、上下面に沿って曲げられた部分の間に椅子受け部を有する第２フレームと、前記第１フレーム及び第２フレームの曲がった下部同士を連結させる第３フレームとを備え、前記第２フレームを、上部が後ろに反り返るようにして第１フレームの背面側に位置決めし、第１フレームの曲がった下部に形成された結合孔に第２フレームの曲がった下部に設けられた結合ピンを締結して折り畳み椅子を構成するようになしてあることを特徴とする。
【０００９】
　また第２の考案に係る折り畳み椅子が付設されたリュックサックは、第１の考案における第２収納部が、上部を開閉自在に覆う蓋板を備え、該蓋板及び前記第２収納部の内部は、熱接着された高周波防水型材料により被覆されており、防水及び保温機能を果たすように構成されていることを特徴とし、また第３の考案に係る折り畳み椅子が付設されたリュックサックは、第２の考案における第２収納部が、該第２収納部の上縁及び前記蓋板の下縁に周設された第１のファスナにより開閉され、前記蓋板の上縁及び前記第１収納部の下縁に周設された第２のファスナにより第１収納部に結合されて一体型のリュックサックを構成することを特徴とし、また第４の考案に係る折り畳み椅子が付設されたリュックサックは、第１乃至第３の考案のいずれかにおいて、第１フレームの背面に着脱自在に取り付けられたクッション用の背当て板を備えることを特徴とし、更に第５の考案に係る折り畳み椅子が付設されたリュックサックは、第１乃至第４の考案のいずれかにおいて第２フレームの曲がった下部に設置された結合ピンが、弾性を有し、第２フレームをフレームを貫通し突出された形態をなすことを特徴とする。
【考案の効果】
【００１０】
本考案による折り畳み椅子が付設されたリュックサックによれば、次のような効果がある。
【００１１】
　リュックサックの背当てフレームを利用して折り畳み椅子を一体に構成したから、重い荷物を背負って移動する際には、荷物の重さを等分に分散して使用者に伝え、軽く感じさせる背当てフレームの機能を果たし、長時間の移動による負担感を解消させることができる。
【００１２】
　また、休息時にはリュックサックを地面に降ろし、背当てフレームの組み替えにより椅子としての機能を果たすことができ、使用者の休息効果を倍加させることができる。
【００１３】
　更に、リュックサックを上下部に分離し使用することができ、分離された下部は、防水及び保温機能を有しており、例えば、釣り旅行において、釣った魚を保管するのに有効に使用することができる。
【考案を実施するための最良の形態】
【００１４】
以下本考案の構成及び作用を、好適な実施の形態を示す図面を参照しながら詳しく説明する。
【００１５】
　図１は、本考案に係る折り畳み椅子が付設されたリュックサックの第１の実施の形態を示す斜視図である。図２は、図１に示すリュックサックの下部が分離された状態を示す図である。図３は、折り畳み椅子が畳まれた携帯使用時の状態を示す斜視図である。図４は、折り畳み椅子を構成する各フレームの結合状態を示す図である。図５は、折り畳み椅子が独立に開かれた状態を示す斜視図である。図６は、リュックサックのフレームに付設された背当て板の結合状態を示す平面図である。図７は、リュックサックのフレームに付設された背当て板の結合状態を示す側面図である。図８は、折り畳み椅子がリュックサックと付設されたまま開かれた状態を示す斜視図である。図９は、本考案に係る折り畳み椅子が付設されたリュックサックの第２の実施の形態を示す斜視図である。
【００１６】
図１〜図６に示すように本考案品は、リュックサック10と、第１，２，３フレーム20，30，40と、結合ピン 51a,51b及び結合孔 52a,52bを有する結合手段とを備え、更に、クッション用の背当て板60を備えて構成されている。
【００１７】
前記リュックサック10は、上下に一体化され、相互に分離可能な第１収納部11及び第２収納部12を備えている。上側の第１収納部11は、一般的な旅行用品の収納空間として使用されている。また下側の第２収納部12は、魚介類、液状物等の収納が可能な防水保温用空間として使用されている。なお、この第２収納部12には、図２に示すように、左右両側を紐で連結してなる持ち運び用の取っ手部 12aが取付けられている。
【００１８】
　また第２収納部は、図２に示すように、上縁に周設された第１のファスナ13により開閉される蓋板15を備えており、第１のファスナ13の閉止により蓋板15を介して密閉されるようになしてある。また蓋板15の上縁には、第１の収納部11の下縁との間に第２のファスナ14が周設されており、第１，第２の収容部11，12は、第２のファスナ14の閉操作により結合され、一体型のリュックサック10を構成するようになしてある。
【００１９】
　更に第２収納部12の内部は、熱可塑性ゴム混合物ＴＰＶ及びＰＶＣコーティング素材を用いた高周波防水型材料が熱接着されて被覆されており、防水及び保温機能を果たし得るように構成されている。
【００２０】
　以上の如きリュックサック10の一面（背面）には、左右両側において上下段を連結するように、通常の背負い紐 16a,16bが夫々取付けられている。第１フレーム20は、リュックサック10の背面の左右両側に沿って延設された左右の縦フレーム 20a,20bを備えている。これらの縦フレーム 20a,20bは、図４に示すように、リュックサック10の下面に沿うように曲げられ、曲げられた夫々の先端部が連結された形態を有している。リュックサック10の背面に沿う縦フレーム 20a,20bは、これらの間に架け渡された複数の横フレーム21，21…により連結固定されている。
【００２１】
　このように構成された第１フレーム20は、重い荷物を収納したリュックサッック10を背負って移動する場合、左右の縦フレーム 20a,20b及びこれらの間の横フレーム21，21…が使用者の背中に当たり、前記荷物の重さを等分に分散、伝達し、軽く感じさせる背当てフレームとしての機能を果たす。
【００２２】
　第２フレーム30は、リュックサック10の他面の左右両側に沿って延設されている。この第２フレーム30の上下部は、図に示すように、リュックサック10の上面及び下面に夫々沿うように曲げられ、上面の側の先端部が連結された形態を有している。また第２フレーム30の中央部には、左右に架け渡された椅子受け台31が備えられている。
【００２３】
　このように構成された第１フレーム20と第２フレーム30とは、図４に示すように、夫々の曲がった下部を逆方向から重ね、この重なり部分の中途を第３フレーム40により連結して一体化されている。第１フレーム20下部の曲がり部の適長上方には、相対向する位置に結合孔 52a,52bが貫通形成されており、また第２フレーム30下部の曲がり部の中途には、相対向する位置に結合ピン 51a,51bが設置されている。
【００２４】
　図１、図３に示すように、リュックサック10の背面側の上部には、幅方向の略中央に連結バンド23が設けられている。この連結バンド23は、第１フレーム20及び第２フレーム30の上段に結ばれて、これらのフレーム20，30とリュックサック10とを一体に連結させるべく備えられている。
【００２５】
　第２フレーム30は、連結バンド23を解き、また第３フレーム40を抜いて第１フレーム20から分離させることができ、この後の組み替えにより折り畳み椅子として構成される。図５は、折り畳み椅子が独立に開かれた状態を示す斜視図である。この折り畳み椅子は、分離された第２フレーム30を上部が後ろに反り返るようにして第１フレーム20の他側に合わせ、第１フレーム20の曲がり部に貫通形成された結合孔 52a,52bの夫々に第２フレーム30の曲がり部に設置された結合ピン 51a,51bを差し込んで連結することにより、第２フレーム30の椅子受け台31を座部とし、第１フレーム20の横フレーム21，21…を背当て部として構成される。
【００２６】
　なお、第２フレーム30の下部に設置された結合ピン 51a,51bは弾性を有し、フレームを貫通し突出された形態で構成されるのが望ましい。これにより、図１及び図３に示すようにリュックサック10のフレームとして使用される際に、リュックサック10との干渉を避けることができる。
【００２７】
　またリュックサック10を背負って移動する際、及び折り畳み椅子として使用する際の双方において使用者の背中が当たる第１フレーム20には、図６及び図７に示す如く、着脱が可能なクッション用の背当て板60を付設することができる。背当て板60は、クッション性に富む材料からなり、第１フレーム20の略全面を覆い得る大きさを有する矩形の平板であり、一側の縁部に設けた連結用の輪 61a,61bを第３フレーム40に結合し、また他側の縁部に設けた連結用の輪 61c,61dを第２フレーム30の最上部に結合して、第１フレーム20の背面に沿わせて取り付けて使用することができる。この背当て板60は、使用者の必要によって着脱が可能であることはもちろんである。
【００２８】
　このような背当て板60を備える場合にも、第２フレーム30を、これの上部が後ろに反り返るようにして第１フレーム20の他側に合わせ、第１フレーム20の曲がり部に形成された結合孔 52a,52bの夫々に第２フレーム30の曲がり部に設置された結合ピン 51a,51bを差し込んで連結することにより、図８に示すように折り畳み椅子を構成することができる。
【００２９】
　このとき背当て板60は、第２フレーム30の椅子受け台31に着座した使用者の背中を支える作用をなす。なお図８においては、第１フレーム20にリュックサック10を取り付けたまま折り畳み椅子が構成されている。
【００３０】
　図９は、本考案に係る折り畳み椅子が付設されたリュックサックの第２の実施の形態を示す斜視図である。この実施の形態においては、第１フレーム20を構成する左右の縦フレーム 20a,20bの下部の曲がった部分の夫々に、前後各一対のキャスタ輪 70a,70b（ 70bは図示せず）及び 70c,70dが取り付けられている。この構成によれば、第１フレーム20及びこれに保持されたリュックサック10を、キャスタ輪 70a,70b,70c,70dを支えとして床面上に置き、キャスタ輪 70a,70b,70c,70dの転動により簡易に移動させることができる。
【００３１】
　続いて、本考案による折り畳み椅子が付設されたリュックサックの作用について見てみることにする。
【００３２】
　図３に示すようにリュックサック10は、背面側上部に設置された連結バンド23により、折り畳み椅子を構成する第１フレーム20及び第２フレーム30と一体化されており、この状態でなされる移動時に第１フレーム20は、リュックサック10の重さを等分に分散、伝達して、軽く感じさせる背当てフレームとしての機能を果たす。そして、もう少し楽な背当ての役割を果たすように、第３フレーム40及び第２フレーム30の一部と結合されるようにクッション用の背当て板60を取り付けて使用できる。
【００３３】
　また休息時には、リュックサック10を地面に降ろし、図５又は図８に示すように折り畳み椅子を構成することができる。この折り畳み椅子は、前述の如く、リュックサック10の背面側上部に設置された連結バンド23を解き、第２フレーム30を取り外し、この第２フレーム30を、上部が後ろに反り返るようにして第１フレーム20の背面側に位置決めした後、第１フレーム20の曲がった下部に形成された結合孔 52a,52bに、第２フレーム30の曲がった下部に設置された結合ピン 51a,51bを差し込むという簡易な組み替え手順により構成することができる。
【図面の簡単な説明】
【００３４】
【図１】本考案に係る折り畳み椅子が付設されたリュックサックの第１の実施の形態を示す斜視図である。
【図２】図１に示すリュックサックの下部が分離された状態を示す図である。
【図３】折り畳み椅子が畳まれた携帯使用時の状態を示す斜視図である。
【図４】折り畳み椅子を構成する各フレームの結合状態を示す図である。
【図５】折り畳み椅子が独立に開かれた状態を示す斜視図である。
【図６】リュックサックのフレームに付設された背当て板の結合状態を示す平面図である。
【図７】リュックサックのフレームに付設された背当て板の結合状態を示す側面図である。
【図８】フレームにリュックサックを取り付けたまま折り畳み椅子が開かれた状態を示す斜視図である。
【図９】本考案に係る折り畳み椅子が付設されたリュックサックの第２の実施の形態を示す斜視図である。
【符号の説明】
【００３５】
　10　　リュックサック
　11　　第１収納部
　12　　第２収納部
　13　　第１のファスナ
　14　　第２のファスナ
　20　　第１フレーム
　30　　第２フレーム
　31　　椅子受け部
　40　　第３フレーム
　52a,52b   結合孔
　51a,51b   結合ピン
　60　　背当て板
【図１】
0003099144.tif 000003
【図２】
0003099144.tif 000004
【図３】
0003099144.tif 000005
【図４】
0003099144.tif 000006
【図５】
0003099144.tif 000007
【図６】
0003099144.tif 000008
【図７】
0003099144.tif 000009
【図８】
0003099144.tif 000010
【図９】
0003099144.tif 000011